(57)【要約】【課題】容易に操作することができるスライドスイッチ装置を提供する。【解決手段】スライドスイッチ装置４０は、支持部１００、スライド部５０、固定部１１０、および、回転位置復帰部を有する。スライド部５０は、第１スライド部６０および第２スライド部７０を有する。第１スライド部６０は、第１スライド部本体６１およびスライド部フック６２を有する。第１スライド部本体６１は、スライド部フック６２と連続して形成されている。スライド部フック６２は、第１スライド部本体６１から固定部１１０に向けて突出している。第２スライド部７０は、回転支持部８０Ａを有する。回転支持部８０Ａは、第１スライド部本体６１を第２スライド部７０に対して回転可能に支持している。回転位置復帰部は、第２回転方向に力を付与する。【選択図】図５
2014235864.tif 000002
【特許請求の範囲】
【請求項１】
スライドスイッチ装置であって、
前記スライドスイッチ装置は、支持部、スライド部、固定部、および、回転位置復帰部を有し、
前記支持部は、前記スライド部を支持し、
前記スライド部は、前記固定部に接近する方向および離間する方向であるスライド方向に前記支持部に対して移動可能であり、前記スライド方向に移動する過程において、基準位置、接触位置、および、ロック位置に存在し、第１スライド部および第２スライド部を有し、
前記基準位置は、前記スライド部が前記固定部に対して離間している位置を示し、
前記接触位置は、前記スライド部が前記固定部に対して接触している位置を示し、
前記ロック位置は、前記スライド部が前記固定部と接触し、かつ、前記離間する方向への移動が規制されている位置を示し、
前記第１スライド部は、第１スライド部本体およびスライド部フックを有し、
前記第１スライド部本体は、前記スライド部フックと連続して形成され、
前記スライド部フックは、前記第１スライド部本体から前記固定部に向けて突出する形状を有し、
前記第２スライド部は、前記支持部に支持され、前記第１スライド部と前記支持部との間に配置され、回転支持部を有し、
前記回転支持部は、前記第１スライド部本体を前記第２スライド部に対して回転可能に支持し、
前記固定部は、固定部フックを有し、
前記固定部フックは、前記スライド部が前記ロック位置に移動したときに前記スライド部フックと引っ掛かり合う形状を有し、フック傾斜面を有し、
前記フック傾斜面は、前記スライド部が前記接触位置から前記ロック位置に移動するとき、前記スライド部フックが前記固定部フックを乗り越える形状を有し、前記回転支持部を回転中心として、前記第１スライド部を前記第２スライド部とは反対の方向である第１回転方向に回転させる形状を有し、
前記回転位置復帰部は、前記スライド部が前記接触位置から前記ロック位置に移動する過程、および、前記スライド部が前記ロック位置から前記接触位置に移動する過程において、前記第１スライド部に対して前記第１回転方向とは反対の回転方向である第２回転方向に力を付与する
スライドスイッチ装置。
【請求項２】
前記第１スライド部は、第１操作壁部を有し、
前記第１操作壁部は、前記スライド部本体から前記第２スライド部と反対の方向に突出する形状を有し、
前記第２スライド部は、第２スライド部本体および第２操作壁部を有し、
前記第２スライド部本体は、前記第１スライド部本体を支持し、
前記第２操作壁部は、前記第２スライド部本体から前記支持部と反対の方向に突出する形状を有し、前記第１操作壁部と間隔をあけて対向し、前記スライド方向において、前記第１操作壁部よりも前記固定部から離れた位置に存在している
請求項１に記載のスライドスイッチ装置。
【請求項３】
前記第１操作壁部と前記第２操作壁部との間隔は、前記スライド部本体の前記スライド方向の長さよりも短い
請求項２に記載のスライドスイッチ装置。
【請求項４】
前記第１操作壁部の先端は、前記第２操作壁部の先端よりも前記支持部に近い位置に存在している
請求項２または３に記載のスライドスイッチ装置。
【請求項５】
前記第１操作壁部および前記第２操作壁部は、平面視において前記スライド方向と直交する方向である幅方向に延伸する形状を有し、
前記第１操作壁部の前記幅方向の長さは、前記第２操作壁部の前記幅方向の長さよりも短い
請求項２〜４のいずれか一項に記載のスライドスイッチ装置。
【請求項６】
前記回転支持部は、前記第１操作壁部の前記スライド部本体側の端部を支持し、
前記第１スライド部は、前記第１操作壁部の前記スライド部本体側の端部を回転中心として前記第１回転方向または前記第２回転方向に回転し、
前記第１操作壁部の前記スライド部本体側の端部と反対側の端部との長さは、前記第１スライド部の前記スライド方向の長さよりも短い
請求項２〜５のいずれか一項に記載のスライドスイッチ装置。
【請求項７】
前記スライド部本体は、弾性材料を含む
請求項１〜６のいずれか一項に記載のスライドスイッチ装置。
【発明の詳細な説明】
【技術分野】
【０００１】
本発明は、固定部およびスライド部を有するスライドスイッチ装置に関する。
【背景技術】
【０００２】
特許文献１は、スライドスイッチ装置の一例を開示している。図１１は、特許文献１のスライドスイッチ装置２００を有する電気かみそり３００を示している。
スライドスイッチ装置２００は、固定部２１０、ロック片２２０、および、スライド部２３０を有する。スライドスイッチ装置２００は、電気かみそり３００の電源のオンとオフとを切り換える。
【０００３】
固定部２１０は、電動かみそり３００のかみそり本体３１０に固定されている。ロック片２２０は、ロックボタン２２１および固定端２２２を有する。ロックボタン２２１は、スライド部２３０の表面から突出している。固定端２２２は、固定部２１０に固定されている。
【０００４】
スライド部２３０は、かみそり本体３１０の長手方向への移動が可能な状態でかみそり本体３１０に取り付けられている。スライド部２３０は、ロックボタン２２１がスライド部２３０の表面から突出している状態において、固定端２２２と固定部２１０とが固定されている状態、すなわち、ロック状態を形成している。このため、スライド部２３０は、ロック状態において、かみそり本体３１０の長手方向への移動が規制されている。
【０００５】
スライド部２３０は、次の手順を経て、かみそり本体３１０の長手方向へ移動する。
図１２（ａ）に示されるように、スライドスイッチ装置２００は、使用者により、ロックボタン２２１がスライド部２３０の内方に押し込まれる。これにより、スライドスイッチ装置２００は、固定端２２２と固定部２１０とが固定されている状態、すなわち、ロック状態が解除される。このため、図１２（ｂ）に示されるように、スライド部２３０は、かみそり本体３１０の長手方向へ移動する。
【先行技術文献】
【特許文献】
【０００６】
【特許文献１】実開昭６２−１３９０３２号公報
【発明の概要】
【発明が解決しようとする課題】
【０００７】
スライドスイッチ装置２００は、スライド部２３０をかみそり本体３１０の長手方向へ移動させるために、ロックボタン２２１をスライド部２３０の内方に押し込む操作を必要とする。このため、スライドスイッチ装置２００は、操作が煩雑となる。
【０００８】
本発明は、以上の背景をもとに創作されたものであり、容易に操作することができるスライドスイッチ装置を提供することを目的とする。
【課題を解決するための手段】
【０００９】
（１）本スライドスイッチ装置は、「スライドスイッチ装置であって、前記スライドスイッチ装置は、支持部、スライド部、固定部、および、回転位置復帰部を有し、前記支持部は、前記スライド部を支持し、前記スライド部は、前記固定部に接近する方向および離間する方向であるスライド方向に前記支持部に対して移動可能であり、前記スライド方向に移動する過程において、基準位置、接触位置、および、ロック位置に存在し、第１スライド部および第２スライド部を有し、前記基準位置は、前記スライド部が前記固定部に対して離間している位置を示し、前記接触位置は、前記スライド部が前記固定部に対して接触している位置を示し、前記ロック位置は、前記スライド部が前記固定部と接触し、かつ、前記離間する方向への移動が規制されている位置を示し、前記第１スライド部は、第１スライド部本体およびスライド部フックを有し、前記第１スライド部本体は、前記スライド部フックと連続して形成され、前記スライド部フックは、前記第１スライド部本体から前記固定部に向けて突出する形状を有し、前記第２スライド部は、前記支持部に支持され、前記第１スライド部と前記支持部との間に配置され、回転支持部を有し、前記回転支持部は、前記第１スライド部本体を前記第２スライド部に対して回転可能に支持し、前記固定部は、固定部フックを有し、前記固定部フックは、前記スライド部が前記ロック位置に移動したときに前記スライド部フックと引っ掛かり合う形状を有し、フック傾斜面を有し、前記フック傾斜面は、前記スライド部が前記接触位置から前記ロック位置に移動するとき、前記スライド部フックが前記固定部フックを乗り越える形状を有し、前記回転支持部を回転中心として、前記第１スライド部を前記第２スライド部とは反対の方向である第１回転方向に回転させる形状を有し、前記回転位置復帰部は、前記スライド部が前記接触位置から前記ロック位置に移動する過程、および、前記スライド部が前記ロック位置から前記接触位置に移動する過程において、前記第１スライド部に対して前記第１回転方向とは反対の回転方向である第２回転方向に力を付与するスライドスイッチ装置」を含む。
【００１０】
上記スライドスイッチ装置のスライド部は、基準位置からロック位置まで次のように動作する。
スライド部は、基準位置において、使用者により、固定部に接近する方向に力が付与される。このため、スライド部は、基準位置から接触位置まで移動する。スライド部フックは、接触位置においては、固定部のフック傾斜面と接触する。
【００１１】
スライド部は、接触位置において、使用者により、固定部に接近する方向に力が付与される。このため、スライド部は、接触位置からロック位置まで移動する。
スライド部は、接触位置からロック位置まで移動する過程において、スライド部フックがフック傾斜面に乗り上げる。スライド部フックは、フック傾斜面から反力を受ける。このため、第１スライド部のスライド部本体は、回転支持部により支持されている部分を回転中心として第１回転方向に回転する。
【００１２】
第１スライド部は、接触位置からロック位置に移動する過程において、回転位置復帰部から第２回転方向への力が付与されている。このため、スライド部フックは、フック傾斜面を乗り越えると、回転位置復帰部から受ける力により第２回転方向に回転する。このため、スライド部フックは、固定部フックに引っ掛かる。このため、スライド部は、固定部に対して離間する方向に移動することが規制される。
【００１３】
上記スライドスイッチ装置のスライド部は、ロック位置から基準位置まで次のように動作する。
スライド部は、ロック位置において、スライド部フックが固定部フックに引っ掛かっている。スライド部は、ロック位置において、使用者により第１回転方向への力が加えられる。このため、スライド部フックは、固定部フックと引っ掛かり合っている状態が解除される。このため、スライド部は、固定部から離間する方向への移動が許容される。
【００１４】
スライド部は、ロック位置から接触位置に移動する過程において、スライド部フックがフック傾斜面を下る。スライド部フックは、フック傾斜面を下る過程において、回転位置復帰部から第２回転方向への力が付与される。このため、スライド部フックは第２回転方向に回転しながら接触位置まで移動する。
【００１５】
スライド部は、接触位置において、使用者により、固定部から離間する方向に力が付与される。このため、スライド部は、接触位置から基準位置まで移動する。
以上のとおり、上記スライドスイッチ装置は、スライド部に対してスライド方向に力を作用させることにより、スライド部の基準位置からロック位置までの移動操作、および、スライド部のロック位置から基準位置までの移動操作を行うことができる。このため、上記スライドスイッチ装置は、簡単に操作を行うことができる。
【００１６】
（２）上記スライドスイッチ装置の一形態は、「前記第１スライド部は、第１操作壁部を有し、前記第１操作壁部は、前記スライド部本体から前記第２スライド部と反対の方向に突出する形状を有し、前記第２スライド部は、第２スライド部本体および第２操作壁部を有し、前記第２スライド部本体は、前記第１スライド部本体を支持し、前記第２操作壁部は、前記第２スライド部本体から前記支持部と反対の方向に突出する形状を有し、前記第１操作壁部と間隔をあけて対向し、前記スライド方向において、前記第１操作壁部よりも前記固定部から離れた位置に存在しているスライドスイッチ装置」を含む。
【００１７】
（３）上記スライドスイッチ装置の一形態は、「前記第１操作壁部と前記第２操作壁部との間隔は、前記スライド部本体の前記スライド方向の長さよりも短いスライドスイッチ装置」を含む。
【００１８】
（４）上記スライドスイッチ装置の一形態は、「前記第１操作壁部の先端は、前記第２操作壁部の先端よりも前記支持部に近い位置に存在しているスライドスイッチ装置」を含む。
【００１９】
（５）上記スライドスイッチ装置の一形態は、「前記第１操作壁部および前記第２操作壁部は、平面視において前記スライド方向と直交する方向である幅方向に延伸する形状を有し、前記第１操作壁部の前記幅方向の長さは、前記第２操作壁部の前記幅方向の長さよりも短いスライドスイッチ装置」を含む。
【００２０】
（６）上記スライドスイッチ装置の一形態は、「前記回転支持部は、前記第１操作壁部の前記スライド部本体側の端部を支持し、前記第１スライド部は、前記第１操作壁部の前記スライド部本体側の端部を回転中心として前記第１回転方向または前記第２回転方向に回転し、前記第１操作壁部の前記スライド部本体側の端部と反対側の端部との長さは、前記第１スライド部の前記スライド方向の長さよりも短いスライドスイッチ装置」を含む。
【００２１】
（７）上記スライドスイッチ装置の一形態は、「前記スライド部本体は、弾性材料を含むスライドスイッチ装置」を含む。
【発明の効果】
【００２２】
本スライドスイッチ装置は、容易に操作することができる。
【図面の簡単な説明】
【００２３】
【図１】実施形態の電気かみそりの正面図。
【図２】実施形態の電気かみそりが有するヘッド部に関する図であって、ヘッド部の背面図。
【図３】実施形態のヘッド部およびスライド装置の分解斜視図。
【図４】実施形態の第１スライド部の斜視図。
【図５】実施形態の電気かみそりに関する図であって、ヘッドフリー状態における図２のＤ５−Ｄ５線において破断された電気かみそりの断面図。
【図６】実施形態の電気かみそりに関する図であって、ヘッドロック状態における図２のＤ６−Ｄ６線において破断された電気かみそりの断面図。
【図７】実施形態の電気かみそりに関する図であって、ヘッドロック状態における図２のＤ５−Ｄ５線において破断された電気かみそりの断面図。
【図８】実施形態の電気かみそりに関する図であって、ヘッドロック状態からトリマー刃アップ状態に移行している最中の電気かみそりの断面図。
【図９】実施形態の電気かみそりに関する図であって、トリマー刃アップ状態における図２のＤ５−Ｄ５線において破断された電気かみそりの断面図。
【図１０】その他の実施形態の第１スライド部の断面図。
【図１１】従来の電気かみそりの部分断面図。
【図１２】従来の電気かみそりに関する図であって、（ａ）はロック状態が解除されたときの電気かみそりの部分断面図、（ｂ）はスライド部が上方にスライド移動したときの電気かみそりの部分断面図。
【発明を実施するための形態】
【００２４】
図１を参照して、スライドスイッチ装置４０が適用される電気かみそり１の構成について説明する。
電気かみそり１は、かみそり本体１０、スライドスイッチ装置４０（図５参照）、外刃１２０、および、内刃１３０（図５参照）を有する。電気かみそり１は、スライドスイッチ装置４０により、ヘッドフリー状態（図５参照）、ヘッドロック状態（図６および図７参照）、および、トリマー刃アップ状態（図９参照）に切り替えられる。
【００２５】
ヘッドフリー状態は、把持部２０に対するヘッド部３０の動きが許容されている状態を示している。ヘッドロック状態は、把持部２０に対するヘッド部３０の動きが規制されている状態を示している。トリマー刃アップ状態は、ヘッドロック状態において、トリマー刃３２（図２参照）がヘッド部ケース３１に対して立ち上がった状態を示している。電気かみそり１は、外刃１２０に対して内刃１３０を往復運動させる往復動式電気かみそりとしての形態を有する。
【００２６】
かみそり本体１０は、本体正面１０Ａ、本体右側面１０Ｂ、および本体左側面１０Ｃを有する。かみそり本体１０は、本体長手方向および本体幅方向を規定している。本体長手方向は、かみそり本体１０の正面視における長手方向の双方向を示す。本体幅方向は、かみそり本体１０の正面視において本体長手方向に直交する双方向を示す。
【００２７】
本体正面１０Ａは、電気かみそり１が使用者により使用されるとき、使用者に向かい合う面を示している。本体右側面１０Ｂは、本体幅方向において、本体正面１０Ａに対して右側に存在する面を示している。本体左側面１０Ｃは、本体幅方向において、本体正面１０Ａに対して左側に存在する面を示している。
【００２８】
かみそり本体１０は、把持部２０およびヘッド部３０を有する。
把持部２０は、使用者により把持される部分として機能する。把持部２０は、把持本体２１、電源スイッチ２２、前面パネル２３、および、ヘッドロック片２４（図６参照）を有する。
【００２９】
把持本体２１は、２個のケースが組み合わせられている。電源スイッチ２２は、把持本体２１において、本体長手方向の中央部分に取り付けられている。電源スイッチ２２は、電気かみそり１の電源のオンとオフとを切り替える。
【００３０】
前面パネル２３は、一例として、電気かみそり１の充電量を表示している。前面パネル２３は、把持本体２１に取り付けられている。前面パネル２３および把持本体２１は、電気かみそり１の正面視において、ヘッド部３０と一部重なる位置まで本体長手方向に延伸されている。このため、前面パネル２３および把持本体２１は、使用者に対してヘッド部３０が小さく見える印象を与えることができる。ヘッドロック片２４は、把持部２０に対するヘッド部３０の位置を固定する。ヘッドロック片２４は、ヘッドフリー状態においては、把持本体２１の内部に収容されている。ヘッドロック片２４は、ヘッドロック状態およびトリマー刃アップ状態においては、把持本体２１から突出する。
【００３１】
ヘッド部３０は、把持部２０に結合されている。
外刃１２０は、ヘッド部３０に取り付けられている。外刃１２０は、複数の外刃孔１２０Ａを有する。外刃１２０は、複数の外刃孔１２０Ａを介して、使用者の髭をヘッド部３０の内部に導入する。
【００３２】
内刃１３０は、ヘッド部３０の内部に収容されている。内刃１３０は、リニアモーター（図示略）に結合されている。内刃１３０は、外刃１２０に対して往復駆動することにより髭を切断する。内刃１３０は、外刃孔１２０Ａから導入された髭を外刃１２０と挟み込むことにより髭を切断する。リニアモーターは、把持部２０に収容されている。
【００３３】
図２を参照して、ヘッド部３０の構成について説明する。
ヘッド部３０は、ヘッド部ケース３１、トリマー刃３２、トリマー刃回転軸３３、および、トリマー刃回転部３４を有する。ヘッド部３０は、電気かみそり１が使用されないときには、透明のヘッドカバー（図示略）により覆われている。
【００３４】
ヘッド部ケース３１は、外刃１２０を支持している。ヘッド部ケース３１は、ヘッドロック溝３１Ａおよびトリマー刃収容溝３１Ｂを有する。ヘッドロック溝３１Ａは、ヘッドロック状態およびトリマー刃アップ状態において、ヘッドロック片２４（図６参照）が挿入される。トリマー刃収容溝３１Ｂは、ヘッドフリー状態およびヘッドロック状態において、トリマー刃３２を収容している。トリマー刃収容溝３１Ｂは、ヘッド部３０の背面に形成されている。
【００３５】
トリマー刃３２は、もみあげ等の比較的長い体毛を短く切断する機能を有する。トリマー刃３２は、ヘッドフリー状態およびヘッドロック状態において、トリマー刃収容溝３１Ｂに収容されている。トリマー刃３２は、トリマー刃回転軸３３の回りにおいて回転する。トリマー刃３２は、付勢ばね（図示略）により、トリマー刃収容溝３１Ｂに収容される方向に付勢されている。トリマー刃回転軸３３は、トリマー刃収容溝３１Ｂに固定されている。
【００３６】
トリマー刃回転部３４は、本体長手方向にスライド移動が可能な構造を有する。トリマー刃回転部３４は、回転部本体３４Ａおよびトリマー刃接触部３４Ｂを有する。
回転部本体３４Ａは、トリマー刃接触部３４Ｂと同一の部材により一体的に形成されている。トリマー刃接触部３４Ｂは、回転部本体３４Ａとともに電気かみそり１の本体長手方向に移動することにより、トリマー刃３２をトリマー刃回転軸３３の回りにおいて回転させる。
【００３７】
図３〜図５を参照して、スライドスイッチ装置４０の構成について説明する。
スライドスイッチ装置４０は、電気かみそり１の本体長手方向に移動することにより、電気かみそり１をヘッドフリー状態、ヘッドロック状態、および、トリマー刃アップ状態に切り替える。スライドスイッチ装置４０は、スライド部５０、支持部１００、および、固定部１１０を有する。
【００３８】
なお、電気かみそり１の本体長手方向において、スライド部５０が移動する方向をスライド方向Ｘとする。スライド方向Ｘは、接近方向ＸＡおよび離間方向ＸＢを有する。接近方向ＸＡは、スライド方向Ｘにおいて、スライド部５０が固定部１１０に接近する方向を示している。離間方向ＸＢは、スライド方向Ｘにおいて、スライド部５０が固定部１１０から離間する方向を示している。
【００３９】
また、電気かみそり１の側面視において、スライド方向Ｘと直交する方向をスライド部高さ方向Ｙとする。スライド部高さ方向Ｙは、上方向ＹＡおよび下方向ＹＢを有する。上方向ＹＡは、スライド部高さ方向Ｙにおいて、支持部１００から第１スライド部６０に向かう方向を示している。下方向ＹＢは、スライド部高さ方向Ｙにおいて、第１スライド部６０から支持部１００に向かう方向を示している。
【００４０】
スライド部５０は、スライド方向Ｘにおいて、固定部１１０と間隔をあけて配置されている。スライド部５０は、スライド方向Ｘに移動する過程において、基準位置、接触位置、および、ロック位置に位置が変化する。
【００４１】
基準位置は、スライド部５０が固定部１１０から離間した位置を示している。接触位置は、スライド部５０が固定部１１０と接触している位置を示している。ロック位置は、スライド部５０が固定部１１０と接触し、かつ、スライド部５０の離間方向ＸＢへの移動が規制されている位置を示している。
【００４２】
スライド部５０は、電気かみそり１がヘッドフリー状態のとき基準位置に存在している。スライド部５０は、電気かみそり１がヘッドロック状態のとき基準位置と接触位置との間の中間位置に存在している。スライド部５０は、電気かみそり１がヘッドロック状態からトリマー刃アップ状態に移行している最中に接触位置に存在している。スライド部５０は、電気かみそり１がトリマー刃アップ状態のときロック位置に存在している。
【００４３】
スライド部５０は、第１スライド部６０および第２スライド部７０を有する。
第１スライド部６０は、第２スライド部７０に組みつけられている。第１スライド部６０は、第２スライド部７０と連動して支持部１００に対してスライド方向Ｘに移動する。第１スライド部６０は、第１スライド部本体６１、スライド部フック６２、第１操作壁部６３、および、弾性脚部６４を有する。
【００４４】
第１スライド部本体６１は、スライド部フック６２および第１操作壁部６３と同一の材料により一体的に形成されている。第１スライド部本体６１は、スライド方向Ｘに延伸する形状を有する。第１スライド部本体６１は、第１本体部長さＬＡを有する。第１本体部長さＬＡは、第１スライド部本体６１のスライド方向Ｘの長さを示している。
【００４５】
スライド部フック６２は、スライド方向Ｘにおける第１スライド部本体６１の先端から、接近方向ＸＡに突出する形状を有する。スライド部フック６２は、固定部１１０の固定部フック１１２（図７参照）と引っ掛かりあう形状を有する。
【００４６】
第１操作壁部６３は、電気かみそり１をトリマー刃アップ状態からヘッドロック状態に切り替えるとき、および、電気かみそり１をヘッドロック状態からヘッドフリー状態に切り替えるときに使用者により操作される。
【００４７】
第１操作壁部６３は、第１スライド部本体６１の離間方向ＸＢの端部から上方向ＹＡに突出する形状を有する。第１操作壁部６３は、第１壁部長さＬＣを有する。第１壁部長さＬＣは、第１スライド部本体６１の離間方向ＸＢの端部から第１壁部先端６３Ａまでの長さを示している。第１壁部長さＬＣは、第１本体部長さＬＡよりも短い。第１操作壁部６３は、第１壁部先端６３Ａを有する。第１壁部先端６３Ａは、第１操作壁部６３において、上方向ＹＡの端部を示している。
【００４８】
第１操作壁部６３は、本体幅方向に延伸する形状を有する。第１操作壁部６３は、第１操作壁部幅ＺＡ１を有する。第１操作壁部幅ＺＡ１は、第１操作壁部６３の本体幅方向における長さを示している（図２参照）。
【００４９】
弾性脚部６４は、第１スライド部本体６１と連続して形成されている。弾性脚部６４は、第１スライド部本体６１、スライド部フック６２、および、第１操作壁部６３に対して下方向ＹＢに力を付与している。なお、弾性脚部６４は、「回転位置復帰部」に相当する。
【００５０】
第２スライド部７０は、第２スライド部本体８０およびカバー部９０を有する。第２スライド部本体８０は、把持本体２１に収容されている。第２スライド部本体８０は、回転支持部８０Ａを有する。回転支持部８０Ａは、第１スライド部本体６１を支持している。
【００５１】
カバー部９０は、カバー部本体９１および第２操作壁部９２を有する。カバー部本体９１は、第１スライド部６０および第２スライド部本体８０に組みつけられている。カバー部本体９１は、壁部挿入孔９１Ａを有する。壁部挿入孔９１Ａは、第１操作壁部６３が挿入されている。
【００５２】
第２操作壁部９２は、カバー部本体９１から上方向ＹＡに突出する形状を有する。第２操作壁部９２は、第１操作壁部６３とスライド方向Ｘにおいて間隔をあけて対向している。第２操作壁部９２と第１操作壁部６３とは、壁部間長さＬＢを有する。壁部間長さＬＢは、第２操作壁部９２の内面９２Ｂと第１操作壁部６３の内面６３Ｂとの間の距離を示している。壁部間長さＬＢは、第１本体部長さＬＡよりも短い。第２操作壁部９２は、本体幅方向に延伸する形状を有する。第２操作壁部９２は、第２操作壁部幅ＺＡ２を有する。第２操作壁部幅ＺＡ２は、第２操作壁部９２の本体幅方向における長さを示している（図２参照）。第２操作壁部幅ＺＡ２は、第１操作壁部幅ＺＡ１よりも大きい。第２操作壁部９２は、第２壁部先端９２Ａを有する。第２壁部先端９２Ａは、第２操作壁部９２において、上方向ＹＡ側の端部を示している。第２壁部先端９２Ａは、第１壁部先端６３Ａよりも上方向ＹＡに存在している。
【００５３】
支持部１００は、スライド部５０を支持している。支持部１００は、把持本体２１の内部に固定されている。支持部１００は、スライド部５０に対する相対的な位置が固定されている。
【００５４】
固定部１１０は、ヘッド部３０の内部に固定されている。固定部１１０は、スライド部５０に対する相対的な位置が固定されている。固定部１１０は、固定部本体１１１および固定部フック１１２を有する。
【００５５】
固定部本体１１１は、固定部フック１１２と同一の材料により一体的に形成されている。固定部本体１１１は、接近方向ＸＡに向かうにつれて上方向ＹＡに延伸する形状を有する。
【００５６】
固定部フック１１２は、電気かみそり１のトリマー刃アップ状態において、スライド部フック６２に引っ掛かる形状を有する。固定部フック１１２は、フック傾斜面１１２Ａを有する。フック傾斜面１１２Ａは、接近方向ＸＡに向かうにつれて上方向ＹＡに傾斜する形状を有する。
【００５７】
図５および図６を参照して、電気かみそり１のヘッドフリー状態からヘッドロック状態への移行動作について説明する。
電気かみそり１は、図５に示されているヘッドフリー状態において、使用者により第２操作壁部９２に対して接近方向ＸＡに力が加えられる。このため、カバー部９０および第２スライド部本体８０は支持部１００に対して接近方向ＸＡに移動する。カバー部９０および第２スライド部本体８０は支持部１００に対して接近方向ＸＡに移動することにともない、第１スライド部６０も連動して支持部１００に対して接近方向ＸＡに移動する。
【００５８】
図６に示されるように、スライド部５０の接近方向ＸＡへの移動と連動して、ヘッドロック片２４がヘッドロック溝３１Ａに挿入される。このため、把持部２０に対するヘッド部３０の相対的な位置が固定される。このため、電気かみそり１は、ヘッドロック状態となる。
【００５９】
図７〜図９を参照して、電気かみそり１のヘッドロック状態からトリマー刃アップ状態への移行動作について説明する。
図７に示されるように、ヘッドロック状態において、電気かみそり１のスライド部５０は、固定部１１０から離間している。すなわち、ヘッドロック状態において、スライド部５０は、中間位置に存在している。
【００６０】
スライド部５０は、中間位置において、使用者により、接近方向ＸＡ方向に力が付与される。使用者は、第２操作壁部９２の第２壁部先端９２Ａを操作することにより、スライド部５０に対して接近方向ＸＡに力を付与する。このため、スライド部５０は、中間位置から接触位置まで移動する。スライド部フック６２は、接触位置において、固定部１１０のフック傾斜面１１２Ａと接触する。
【００６１】
スライド部５０は、接触位置において、使用者により、接近方向ＸＡに力が付与される。このため、スライド部５０は、接触位置からロック位置まで移動する。
図８に示されるように、スライド部５０は、接触位置からロック位置まで移動する過程において、スライド部フック６２がフック傾斜面１１２Ａに乗り上げる。スライド部フック６２は、フック傾斜面１１２Ａから反力を受ける。このため、第１スライド部６０の第１スライド部本体６１は、回転支持部８０Ａにより支持されている部分を回転中心として第１回転方向ＲＡに回転する。
【００６２】
第１操作壁部６３は、第１回転方向ＲＡへの回転にともない、第２操作壁部９２と接触する。このため、第１スライド部６０の第１回転方向ＲＡへの回転が規制される。
第１スライド部６０は、接触位置からロック位置に移動する過程において、弾性脚部６４から第２回転方向ＲＢへの力が付与されている。このため、スライド部フック６２は、フック傾斜面１１２Ａを乗り越えると、弾性脚部６４から受けている力により第２回転方向ＲＢに回転する。このため、スライド部フック６２は、固定部フック１１２に引っ掛かる。このため、スライド部５０は、固定部１１０に対して離間方向ＸＢに移動することが規制される。
【００６３】
また、第１スライド部６０が中間位置からロック位置に移動する過程において、第２スライド部７０も連動して接近方向ＸＡに移動する。第２スライド部７０の第２スライド部本体８０は、接近方向ＸＡに移動する過程において、トリマー刃回転部３４を接近方向ＸＡに移動させる。
【００６４】
図９に示されるように、トリマー刃回転部３４が接近方向ＸＡに回転することにより、トリマー刃３２は、トリマー刃アップ状態となる。
トリマー刃アップ状態において、スライド部５０は、ロック位置に存在している。このため、スライド部５０の離間方向ＸＢへの移動は規制されている。このため、第２スライド部７０は、離間方向ＸＢへの移動が規制されている。一方、トリマー刃回転部３４は、第２スライド部本体８０と接触している。このため、トリマー刃３２は、トリマー刃アップ状態において、ヘッド部ケース３１に対して立ち上がった状態を維持している。
【００６５】
電気かみそり１のトリマー刃アップ状態からヘッドロック状態への移行動作について説明する。
図９に示されるように、ヘッドロック状態において、電気かみそり１のスライド部５０は、ロック位置に存在している。
【００６６】
スライド部５０は、ロック位置において、スライド部フック６２が固定部フック１１２に引っ掛かっている。スライド部５０は、ロック位置において、使用者により第１回転方向ＲＡへの力が加えられる。使用者は、第１操作壁部６３の第１壁部先端６３Ａを操作することにより、第１スライド部本体６１に第１回転方向ＲＡへの力を作用させる。このため、スライド部フック６２は、固定部フック１１２と引っ掛かり合っている状態が解除される。このため、スライド部５０は、固定部１１０から離間方向ＸＢへの移動が許容される。
【００６７】
第１スライド部６０の第１操作壁部６３は、第１回転方向ＲＡへの回転にともない、第２操作壁部９２と接触する。このため、第１スライド部６０の第１回転方向ＲＡへの回転が規制される。このため、第１スライド部６０および第２スライド部７０は、固定部１１０から離間方向ＸＢに移動する。
【００６８】
スライド部５０は、第１操作壁部６３と第２操作壁部９２とが接触した状態を維持しながら、スライド部フック６２がフック傾斜面１１２Ａを下る。スライド部フック６２は、フック傾斜面１１２Ａを下る過程において、弾性脚部６４から第２回転方向ＲＢへの力が付与されている。このため、スライド部フック６２は第２回転方向ＲＢに回転しながら接触位置まで移動する。
【００６９】
スライド部５０は、接触位置において、使用者により、離間方向ＸＢ方向に力が付与される。このため、スライド部５０は、接触位置から中間位置を経て、基準位置まで移動する。
【００７０】
電気かみそり１およびスライドスイッチ装置４０は、以下の効果を奏する。
（１）スライドスイッチ装置４０は、スライド部５０に対して接近方向ＸＡに力を作用させることにより、スライド部５０が基準位置からロック位置まで移動する。また、スライドスイッチ装置４０は、スライド部５０に対して離間方向ＸＢに力を作用させることにより、スライド部５０がロック位置から基準位置まで移動する。このため、スライドスイッチ装置４０は、スライド部５０に対してスライド方向Ｘに力を作用させることにより、スライド部５０の基準位置、接触位置、および、ロック位置を切り替える操作を容易に行うことができる。
【００７１】
（２）電気かみそり１は、スライド部５０がロック位置に存在しているとき、トリマー刃回転部３４の離間方向ＸＢへの移動が規制されている。このため、電気かみそり１は、スライド部５０がロック位置に存在しているとき、トリマー刃３２がトリマー刃収容溝３１Ｂに収容される方向に回転することを抑制できる。
【００７２】
（３）第２操作壁部９２は、第１操作壁部６３と間隔をあけて対向している。このため、スライドスイッチ装置４０は、スライド部５０がロック位置から基準位置に移動するときに、第１操作壁部６３の第１回転方向ＲＡの回転を途中で規制することができる。このため、スライドスイッチ装置４０は、スライド部５０のロック位置から基準位置への移動を容易に行うことができる。
【００７３】
（４）スライドスイッチ装置４０の壁部間長さＬＢは、第１本体部長さＬＡよりも短い。このため、スライドスイッチ装置４０は、壁部間長さＬＢが第１本体部長さＬＡよりも長い構成と比較して、第１操作壁部６３の第１回転方向ＲＡへの回転量を少なくできる。
【００７４】
（５）第１スライド部６０は、接触位置からロック位置に移動するとき、第１回転方向ＲＡへの回転を妨げる力が作用しないことが好ましい。このため、スライド部５０は、接触位置からロック位置に移動するときに、使用者により第２操作壁部９２が操作されることが好ましい。
【００７５】
スライドスイッチ装置４０の第１操作壁部６３の第１壁部先端６３Ａは、第２操作壁部９２の第２壁部先端９２Ａよりも下方向ＹＢに存在している。すなわち、第１壁部先端６３Ａは、第２操作壁部９２よりも支持部１００に近い位置に存在している。このため、スライドスイッチ装置４０は、スライド部５０を接触位置からロック移動するときに、使用者によって第１操作壁部６３が直接的に操作されることが抑制される。
【００７６】
（６）第１操作壁部幅ＺＡ１は、第２操作壁部幅ＺＡ２よりも短い。このため、スライドスイッチ装置４０は、スライドスイッチ装置４０は、スライド部５０を接触位置からロック移動するときに、使用者によって第１操作壁部６３が直接的に操作されることが抑制される。
【００７７】
（７）第１壁部長さＬＣは、第１本体部長さＬＡよりも短い。このため、スライドスイッチ装置４０は、第１壁部長さＬＣが第１本体部長さＬＡよりも長い構成と比較して、第１操作壁部６３が第２操作壁部９２と接触するまでの第１操作壁部６３の第１回転方向ＲＡへの操作量を少なくすることができる。
【００７８】
本スライドスイッチ装置は、上記実施形態とは異なるその他の実施形態を含む。その他の実施形態は、一例として、上記実施形態の変形例として以下に示される形態を含む。なお、以下の各変形例は、技術的に矛盾しない範囲において互いに組み合わせることができる。
【００７９】
・実施形態のスライド部５０の第２スライド部７０は、第２スライド部本体８０およびカバー部９０を有する。ただし、第２スライド部７０の構成は、実施形態に例示された内容に限られない。変形例の第２スライド部は、第２スライド部本体およびカバー部が一体的に形成されている。
【００８０】
・実施形態のスライド部５０は、第１操作壁部６３および第２操作壁部９２を有する。ただし、スライド部５０の構成は、実施形態に例示された内容に限られない。変形例のスライド部５０は、第１操作壁部６３および第２操作壁部９２の少なくとも一方が省略されている。
【００８１】
・実施形態の第１スライド部６０は、第１スライド部本体６１、スライド部フック６２、および、第１操作壁部６３が同一の材料により一体的に形成されている。ただし、第１スライド部６０の構成は、実施形態に例示された内容に限られない。図１０に示されるように、変形例の第１スライド部１６０は、スライド部本体１６１が弾性材料により形成されている。この構成によれば、スライド部５０が接触位置からロック位置に移動するとき、スライド部本体１６１が弾性変形しながらフック傾斜面１１２Ａに乗り上げる。このため、スライド部フック６２が第１回転方向ＲＡに回転しやすい。このため、スライドスイッチ装置４０は、スライド部本体１６１が弾性変形しない構成と比較して、スライド部フック６２を固定部フック１１２に引っ掛けやすい。
【００８２】
・実施形態の第１スライド部６０は、弾性脚部６４を有する。ただし、第１スライド部６０の構成は、実施形態に例示された内容に限られない。変形例の第１スライド部は、弾性脚部６４が省略されている。変形例の第１スライド部は、第１スライド部とは別の部品が第１スライド部に対して第２回転方向ＲＢへ力を付与している。
【００８３】
・実施形態のスライドスイッチ装置４０は、電気かみそりに適用されている。ただし、スライドスイッチ装置４０が適用される対象は、電気かみそりに限られない。変形例のスライドスイッチ装置は、電動歯ブラシの電源スイッチまたはマイクの電源スイッチ等、各種機器に適用されうる。
【００８４】
・実施形態の電気かみそり１は、ヘッドフリー状態からヘッドロック状態を経由してトリマー刃アップ状態となる。ただし、電気かみそり１の構成は、実施形態に例示した内容に限られない。変形例の電気かみそりは、ヘッドフリー状態から、ヘッドロック状態を経由せずにトリマー刃アップ状態となる。
【００８５】
・実施形態の電気かみそり１は、往復動式電気かみそりとしての形態を有する。ただし、電気かみそり１の駆動形態は、実施形態に例示された内容に限られない。変形例の電気かみそりは、内刃が外刃に対して回転運動する。すなわち、変形例の電気かみそりは、いわゆるロータリー式電気かみそりとしての形態を有する。
【００８６】
・実施形態の電気かみそり１は、髭を切断する。ただし、電気かみそり１が切断する毛は、髭に限られない。変形例の電気かみそりは、髭を含む様々な毛を切断する。
・実施形態の電気かみそり１は、５枚の外刃１２０を有する。ただし、電気かみそり１が有する外刃１２０の枚数は、実施形態に例示された枚数に限られない。変形例の電気かみそりは、１枚〜４枚のいずれかの枚数、または、６枚以上のいずれかの枚数の外刃１２０を有する。
【符号の説明】
【００８７】
１…電気かみそり、１０…かみそり本体、１０Ａ…本体正面、１０Ｂ…本体右側面、１０Ｃ…本体左側面、２０…把持部、２１…把持本体、２２…電源スイッチ、２３…前面パネル、２４…ヘッドロック片、３０…ヘッド部、３１…ヘッド部ケース、３１Ａ…ヘッドロック溝、３１Ｂ…トリマー刃収容溝、３２…トリマー刃、３３…トリマー回転軸、３４…トリマー刃回転部、３４Ａ…回転部本体、３４Ｂ…トリマー刃接触部、４０…スライドスイッチ装置、５０…スライド部、６０…第１スライド部、６１…第１スライド部本体、６２…スライド部フック、６３…第１操作壁部、６３Ａ…第１壁部先端、６３Ｂ…内面、６４…弾性脚部（回転位置復帰部）、７０…第２スライド部、８０…第２スライド部本体、８０Ａ…回転支持部、９０…カバー部、９１…カバー部本体、９１Ａ…壁部挿入孔、９２…第２操作壁部、９２Ａ…第２壁部先端、９２Ｂ…内面、１００…支持部、１１０…固定部、１１１…固定部本体、１１２…固定部フック、１１２Ａ…フック傾斜面、１２０…外刃、１２０Ａ…外刃孔、１３０…内刃、１６０…第１スライド部、１６２…第１スライド部本体、２００…スライドスイッチ装置、２１０…固定部、２２０…ロック片、２２１…ロックボタン、２２２…固定端、２３０…スライド部、３００…電気かみそり、３１０…かみそり本体。
【図１】
2014235864.tif 000003
【図２】
2014235864.tif 000004
【図３】
2014235864.tif 000005
【図４】
2014235864.tif 000006
【図５】
2014235864.tif 000007
【図６】
2014235864.tif 000008
【図７】
2014235864.tif 000009
【図８】
2014235864.tif 000010
【図９】
2014235864.tif 000011
【図１０】
2014235864.tif 000012
【図１１】
2014235864.tif 000013
【図１２】
2014235864.tif 000014